(57)【要約】      （修正有）【課題】レンチキュラーレンズによって変化のあるデザイン性が得られると共に、装飾性および加飾性に優れた文字板およびそれを備えた時計を提供する。【解決手段】下面に装飾層２４が設けられたレンチキュラーレンズ２２と、このレンチキュラーレンズ２２の上面側を覆う透明なカバー部材２３と、この透明なカバー部材２３をレンチキュラーレンズ２２の上側に支持するベース部材２１の支持部２１ｂと、を備えている。従って、レンチキュラーレンズ２２によって装飾層２４に描かれた絵を立体的または動いているように見せることができるので、変化のあるデザイン性を得ることができると共に、レンチキュラーレンズ２２に発生するモアレを防ぐことができるので、装飾性および加飾性を高めることができる。【選択図】図６
2018146504.tif 000002
【特許請求の範囲】
【請求項１】
下面に装飾層が設けられたレンチキュラーレンズと、
前記レンチキュラーレンズの上面側を覆う透明なカバー部材と、
前記透明なカバー部材を前記レンチキュラーレンズの上側に支持する支持部と、
を備えていることを特徴とする文字板。
【請求項２】
請求項１に記載の文字板において、前記レンチキュラーレンズと前記カバー部材との間には、前記支持部によって隙間が設けられていることを特徴とする文字板。
【請求項３】
請求項１または請求項２に記載の文字板において、前記レンチキュラーレンズが配置される収納凹部が設けられたベース部材を備え、前記支持部は前記ベース部材に設けられていることを特徴とする文字板。
【請求項４】
請求項３に記載の文字板において、前記支持部は、前記ベース部材の前記収納凹部の外周部に設けられて前記カバー部材の外周部を支持し、前記ベース部材の前記収納凹部は、その深さが前記レンチキュラーレンズの厚みよりも大きく形成されていることを特徴とする文字板。
【請求項５】
請求項３に記載の文字板において、前記ベース部材の前記収納凹部は、前記レンチキュラーレンズが配置されるレンズ収納部と、前記レンズ収納部の内径よりも大きく形成されて前記カバー部材が配置されるカバー収納部と、を備え、前記支持部は、前記レンズ収納部と前記カバー収納部との段差部に設けられて前記カバー部材の外周部を支持し、前記レンズ収納部は、その深さが前記レンチキュラーレンズの厚みよりも大きく形成されていることを特徴とする文字板。
【請求項６】
請求項４または請求項５に記載の文字板において、前記ベース部材、前記レンチキュラーレンズ、および前記カバー部材それぞれには、互いに対応する開口部が設けられ、前記支持部は、前記ベース部材の前記開口部における縁部に設けられ、前記レンチキュラーレンズの前記開口部を通して前記カバー部材の開口部における縁部の下面を支持する補助支持部を備えていることを特徴とする文字板。
【請求項７】
請求項１または請求項２に記載の文字板において、前記支持部は、前記レンチキュラーレンズにその上側に突出して設けられていることを特徴とする文字板。
【請求項８】
請求項１〜請求項７のいずれかに記載の文字板において、前記カバー部材の上面における外周部には見切り部材が配置され、前記見切り部材の内周縁における下部には切欠き部が前記カバー部材の外周側に向けて食込んで設けられていることを特徴とする文字板。
【請求項９】
請求項１〜請求項８のいずれかに記載の文字板において、前記レンチキュラーレンズは、多数の線状レンズが３時と９時とを結ぶ直線方向と平行に配列されていることを特徴とする文字板。
【請求項１０】
請求項１〜請求項９のいずれかに記載の文字板において、前記カバー部材の上面には印刷部が設けられていることを特徴とする文字板。
【請求項１１】
下面に装飾層が設けられたレンチキュラーレンズと、
前記レンチキュラーレンズの上面における外周部に配置され、かつ内周縁における下部に切欠き部が前記レンチキュラーレンズの外周側に向けて食込んで設けられた見切り部材と、
を備えていることを特徴とする文字板。
【請求項１２】
請求項１〜請求項１１のいずれかに記載された文字板を備えていることを特徴とする時計。
【発明の詳細な説明】
【技術分野】
【０００１】
この発明は、腕時計などの時計に用いられる文字板およびそれを備えた時計に関する。
【背景技術】
【０００２】
例えば、時計の文字板においては、特許文献１に記載されているように、上面に背景画が描かれたベース部材と、このベース部材上に配置されたレンチキュラーレンズと、を備え、このレンチキュラーレンズによってベース部材の背景画が見る角度に応じて変化するように構成されたものが知られている。
【先行技術文献】
【特許文献】
【０００３】
【特許文献１】実用新案登録第３１２３７９１号公報
【発明の概要】
【発明が解決しようとする課題】
【０００４】
このような時計の文字板では、レンチキュラーレンズが多数の線状レンズを配列させた構造であるから、レンチキュラーレンズを時計ケース内に組み込む際に、レンチキュラーレンズの外周部がその厚み方向に押え付けられると、背景画が見る領域の境界部にモアレという粗い縞模様が発生し、装飾性および加飾性が低下するという問題がある。
【０００５】
この発明が解決しようとする課題は、レンチキュラーレンズによって変化のあるデザイン性が得られると共に、装飾性および加飾性に優れた文字板およびそれを備えた時計を提供することである。
【課題を解決するための手段】
【０００６】
この発明は、下面に装飾層が設けられたレンチキュラーレンズと、前記レンチキュラーレンズの上面側を覆う透明なカバー部材と、前記透明なカバー部材を前記レンチキュラーレンズの上側に支持する支持部と、を備えていることを特徴とする文字板である。
【発明の効果】
【０００７】
この発明によれば、レンチキュラーレンズによって変化のあるデザイン性を得ることができると共に、レンチキュラーレンズに発生するモアレを防ぐことができるので、装飾性および加飾性を高めることができる。
【図面の簡単な説明】
【０００８】
【図１】この発明を適用した腕時計の第１実施形態を示した拡大正面図である。
【図２】図１に示された腕時計のＡ−Ａ矢視における拡大断面図である。
【図３】図２に示された腕時計の時計モジュールを示した拡大正面図である。
【図４】図３に示された時計モジュールの文字板を示した拡大正面図である。
【図５】図４に示された文字板を分解して示した拡大斜視図である。
【図６】図２に示された文字板の要部を更に拡大して示した断面図である。
【図７】図６に示された文字板の第１変形例を示した要部の拡大断面図である。
【図８】図６に示された文字板の第２、第３の変形例を示し、（ａ）は文字板の第２変形例を示した要部の拡大断面図、（ｂ）は文字板の第３変形例を示した要部の拡大断面図である。
【図９】この発明を適用した腕時計における文字板の第２実施形態を示した要部の拡大断面図である。
【発明を実施するための形態】
【０００９】
（第１実施形態）
以下、図１〜図６を参照して、この発明を腕時計に適用した第１実施形態について説明する。
この腕時計は、図１および図２に示すように、腕時計ケース１を備えている。この腕時計ケース１は、本体ケース２と化粧部材３と外装ケース４とで構成されている。
【００１０】
本体ケース２は、図２に示すように、硬質の合成樹脂によって形成され、その内部に補強部材２ａが埋め込まれている。化粧部材３は、金属によってリング状に形成され、本体ケース２の上端部に配置されている。外装ケース４は、ウレタン樹脂などの軟質の合成樹脂で形成され、化粧部材３を本体ケース２の上端部に押え付けた状態で、本体ケース２の外周部にこれらを覆ってビス４ａによって取り付けられている。
【００１１】
この腕時計ケース１の上部開口部、つまり本体ケース２の上部開口部には、図２に示すように、時計ガラス５がガラスパッキン５ａを介して取り付けられている。また、この腕時計ケース１の下部、つまり本体ケース２の下部には、裏蓋６が防水リング６ａを介して取り付けられている。この腕時計ケース１の内部、つまり本体ケース２の内部には、後述する時計モジュール７が設けられている。
【００１２】
また、この腕時計ケース１の外周部における１２時側と６時側とには、図１に示すように、時計バンド（図示せず）が取り付けられるバンド取付部８がそれぞれ設けられている。また、この腕時計ケース１の外周部における２時側、４時側、８時側、および１０時側には、押釦スイッチ９がそれぞれ設けられている。
【００１３】
ところで、時計モジュール７は、図２に示すように、ハウジング１０を備えている。このハウジング１０には、時計ムーブメント１１、表示部１２、および回路基板１３などの時計に必要な各種の部品が搭載されている。また、このハウジング１０の上面には、文字板１４が設けられている。この文字板１４の上面における外周部には、見切り部材１５が設けられている。
【００１４】
時計ムーブメント１１は、図１〜図３に示すように、通常の時刻を指示表示する主表示部１６と、ワールドタイムを指示表示する副表示部１７と、を備えている。主表示部１６は、指針軸１６ａが文字板１４の中心部に設けられた貫通孔１８を通して文字板１４の上方に突出し、この突出した指針軸１６ａの上端部に時針、分針などの指針１６ｂが取り付けられている。
【００１５】
これにより、主表示部１６は、図１〜図３に示すように、指針軸１６ａが輪列機構（図示せず）によって連動して回転することにより、この指針軸１６ａの回転に伴って指針１６ｂが文字板１４の上方を運針して、時刻を指示表示するように構成されている。ワールドタイムの副表示部１７は、世界の各都市のいずれかの都市時間を指示表示するものであり、文字板１４の中心部と文字板１４の６時側の外周部との間に対応する箇所に設けられている。
【００１６】
すなわち、この副表示部１７は、図１〜図３に示すように、文字板１４に設けられた円形状の孔である副表示領域１９の中心部に副針軸１７ａが設けられ、この副針軸１７ａの上端部に時針、分針などの副針１７ｂが取り付けられている。これにより、副表示部１７は、副針軸１７ａが輪列機構（図示せず）によって連動して回転し、この副針軸１７ａの回転に伴って副針１７ｂが円形状の副表示領域１９内で運針して、選択された都市の時間を指示表示するように構成されている。
【００１７】
一方、時計モジュール７の表示部１２は、図１〜図３に示すように、液晶表示パネルやＥＬ（エレクトロルミネッセンス）表示パネルなどの平面型の表示パネルを備え、文字板１４の中心部と文字板１４の３時側の外周との間に対応する箇所に位置した状態で、ハウジング１０の上面に配置され、日付や曜日などの情報を電気光学的に表示するように構成されている。
【００１８】
すなわち、この表示部１２は、図１〜図３に示すように、その表示領域が文字板１４に設けられた円形孔である表示窓部２０に対応した状態で、文字板１４の下側に配置されている。これにより、表示部１２は、表示された日付や曜日などの情報が文字板１４の円形孔である表示窓部２０を通して上方から見えるように構成されている。
【００１９】
また、時計モジュール７の回路基板１３は、図２に示すように、時計ムーブメント１１および表示部１２を電気的に駆動する回路部（図示せず）が搭載され、時計ムーブメント１１の下側に位置した状態でハウジング１０の下面に配置されている。この回路基板１３は、時計ムーブメント１１および表示部１２が電気的に接続され、押釦スイッチ９の操作に応じて時計ムーブメント１１および表示部１２を駆動するように構成されている。
【００２０】
ところで、文字板１４は、図４〜図６に示すように、ベース部材２１、レンチキュラーレンズ２２、およびカバー部材２３を備えている。ベース部材２１は、ＡＢＳ樹脂やポリカーボネート（ＰＣ）などの合成樹脂によってほぼ円板状に形成されている。このベース部材２１には、レンチキュラーレンズ２２を収容する収納凹部２１ａが上方に開放されて設けられている。また、このベース部材２１には、収納凹部２１ａの外周にカバー部材２３を支持する支持部２１ｂがリング状に設けられている。
【００２１】
レンチキュラーレンズ２２は、図４〜図６に示すように、上面に多数の線状レンズ２２ａを平行に配列させた透明なフィルムであり、その外径がベース部材２１の収納凹部２１ａの内径とほぼ同じ大きさのほぼ円形状に形成されている。この場合、レンチキュラーレンズ２２の線状レンズ２２ａは、その上面が円弧状に形成され、文字板１４の３時と９時とを結ぶ直線に対して平行に配列されている。
【００２２】
また、このレンチキュラーレンズ２２は、図４〜図６に示すように、その下面に装飾層２４が設けられている。この装飾層２４は、線状に細断された２つ以上の絵を組み合わせるように描かれた背景画が印刷などによってレンチキュラーレンズ２２の下面に設けられている。これにより、装飾層２４は、その背景画がレンチキュラーレンズ２２を通して上方から立体的に見えるように構成されている。
【００２３】
すなわち、このレンチキュラーレンズ２２は、図４〜図６に示すように、１２時方向と６時方向とに傾けることにより、装飾層２４に描かれた背景画がレンチキュラーレンズ２２の傾き、つまりレンチキュラーレンズ２２を見る角度に応じて変化することにより、背景画が動いているように見える構成になっている。
【００２４】
また、カバー部材２３は、図４〜図６に示すように、ポリカーボネート（ＰＣ）などの透明な合成樹脂によってほぼ円板状に形成されている。このカバー部材２３は、その外径がベース部材２１の外径とほぼ同じ大きさに形成されている。これにより、カバー部材２３は、その下面がレンチキュラーレンズ２２に接触することなく、カバー部材２３の外周部がベース部材２１の外周に位置する支持部２１ｂ上に配置されるように構成されている。
【００２５】
この場合、ベース部材２１の収納凹部２１ａは、図６に示すように、その深さがレンチキュラーレンズ２２の全体の厚み、つまりレンチキュラーレンズ２２とその下面の装飾層２４との厚みよりも大きく形成されている。これにより、レンチキュラーレンズ２２とカバー部材２３とは、カバー部材２３の外周部がベース部材２１の支持部２１ｂ上に配置された際に、この支持部２１ｂによってレンチキュラーレンズ２２とカバー部材２３との間に隙間Ｓが設けられている。
【００２６】
このため、レンチキュラーレンズ２２は、図６に示すように、カバー部材２３との間に設けられた隙間Ｓによって、レンチキュラーレンズ２２とカバー部材２３とが相互に接触することがないので、カバー部材２３がレンチキュラーレンズ２２に接触することによって、レンチキュラーレンズ２２に発生するモアレという粗い縞模様を防ぐように構成されている。
【００２７】
また、このカバー部材２３は、図４および図５に示すように、その上面に時字などの機能を表示する機能表示部である印刷部２３ａが設けられている。すなわち、レンチキュラーレンズ２２は、多数の線状レンズ２２ａが配列されていることによって、上面が凹凸形状に形成されているため、レンチキュラーレンズ２２の上面に印刷を施すことが難しい。しかし、カバー部材２３は、その上面および下面が平坦面に形成されているので、カバー部材２３の上面または下面に印刷部２３ａが印刷によって容易に設けることができる。
【００２８】
また、ベース部材２１とレンチキュラーレンズ２２とカバー部材２３とには、図４および図５に示すように、時計ムーブメント１１の主表示部１６の指針軸１６ａが挿入する貫通孔１８と、時計ムーブメント１１の副表示部１７の副表示領域１９と、表示部１２が対応する表示窓部２０とが、それぞれ同一軸上に対応して設けられている。
【００２９】
すなわち、指針軸１６ａの貫通孔１８は、図５に示すように、ベース部材２１の中心部に設けられた小円形孔１８ａと、レンチキュラーレンズ２２の中心部に設けられた小円形孔１８ｂと、カバー部材２３の中心部に設けられた小円形孔１８ｃとが、同じ大きさで、同一軸上に対応して設けられている。
【００３０】
副表示部１７の副表示領域１９は、図５に示すように、ベース部材２１の中心部とベース部材２１の６時側の外周部との間に設けられた円形孔１９ａと、レンチキュラーレンズ２２の中心部とレンチキュラーレンズ２２の６時側の外周部との間に設けられた円形孔１９ｂと、カバー部材２３の中心部とカバー部材２３の６時側の外周部との間に設けられた円形孔１９ｃとが、同じ大きさで、同一軸上に対応して設けられた開口部である。
【００３１】
表示部１２の表示窓部２０は、図５に示すように、ベース部材２１の中心部とベース部材２１の３時側の外周部との間に設けられた円形孔２０ａと、レンチキュラーレンズ２２の中心部とレンチキュラーレンズ２２の３時側の外周部との間に設けられた円形孔２０ｂと、カバー部材２３の中心部とカバー部材２３の３時側の外周部との間に設けられた円形孔２０ｃとが、同じ大きさで、同一軸上に対応して設けられた開口部である。
【００３２】
また、この文字板１４は、図３〜図５に示すように、ベース部材２１とレンチキュラーレンズ２２とカバー部材２３とが位置決め部２７によって相互に位置決めされている。この位置決め部２７は、図５に示すように、ベース部材２１の収納凹部２１ａ内における内周面側に位置して設けられた位置決めピン２７ａと、レンチキュラーレンズ２２の外周部に設けられた切欠き部２７ｂと、カバー部材２３の外周部に設けられた位置決め孔２７ｃと、を備えている。
【００３３】
この場合、ベース部材２１の位置決めピン２７ａは、図５に示すように、ベース部材２１の収納凹部２１ａ内における内周面の近傍で、かつ３時側と９時側との両方に位置して設けられている。レンチキュラーレンズ２２の切欠き部２７ｂは、レンチキュラーレンズ２２の外周部で、かつ３時側と９時側との両方に位置した状態で、ベース部材２１の位置決めピン２７ａに対応して設けられている。
【００３４】
カバー部材２３の位置決め孔２７ｃは、図５に示すように、ベース部材２１の収納凹部２１ａの内周面に対応するカバー部材２３の外周部で、かつ３時側と９時側との両方に位置した状態で、ベース部材２１の位置決めピン２７ａとレンチキュラーレンズ２２の切欠き部２７ｂとに対応して設けられている。この場合、ベース部材２１の位置決めピン２７ａは、その上下方向の長さ（高さ）がベース部材２１の収納凹部２１ａの底部からカバー部材２３の上面までの長さとほぼ同じ長さで形成されている。
【００３５】
これにより、文字板１４は、図５に示すように、ベース部材２１の収納凹部２１ａ内にレンチキュラーレンズ２２を配置する際に、ベース部材２１の位置決めピン２７ａがレンチキュラーレンズ２２の切欠き部２７ｂに挿入して上方に突出することにより、ベース部材２１の収納凹部２１ａ内にレンチキュラーレンズ２２が位置決めされるよう構成されている。
【００３６】
また、この文字板１４は、図５に示すように、ベース部材２１の収納凹部２１ａ内にレンチキュラーレンズ２２が位置決めされた状態で、ベース部材２１の外周に位置する支持部２１ｂ上にカバー部材２３の外周部を配置する際に、ベース部材２１の位置決めピン２７ａがカバー部材２３の位置決め孔２７ｃに挿入することにより、ベース部材２１の支持部２１ｂ上にカバー部材２３が位置決めされるよう構成されている。
【００３７】
この場合、文字板１４は、図４および図５に示すように、その外周に設けられた位置規制部２５によって時計モジュール７のハウジング１０上に位置規制されるように構成されている。すなわち、この位置規制部２５は、文字板１４のベース部材２１の外周部とカバー部材２３の外周部とに設けられた切欠き部であり、ハウジング１０の上面における外周部に設けられた位置規制突起（図示せず）が挿入することにより、ハウジング１０上に文字板１４を位置規制するように構成されている。
【００３８】
これにより、文字板１４は、図１〜図６に示すように、ハウジング１０上に位置規制された際に、指針軸１６ａの貫通孔１８が腕時計ケース１の中心部に位置し、副表示部１７の副表示領域１９が腕時計ケース１の中心部と腕時計ケース１の６時側の外周部との間に位置し、表示部１２の表示窓部２０が腕時計ケース１の中心部と腕時計ケース１の３時側の外周部との間に位置し、かつレンチキュラーレンズ２２の線状レンズ２２ａが腕時計ケース１の３時と９時とを結ぶ直線に対して平行に配列されるように構成されている。
【００３９】
この場合、文字板１４の上面における外周部上に配置された見切り部材１５は、図６に示すように、その上面が文字板１４の中心部側に向けて傾斜する傾斜面１５ａに形成されている。この傾斜面１５ａ上には、図１および図４に示すように、時字１５ｂが文字板１４の印刷部２３ａに対応して設けられている。
【００４０】
この見切り部材１５は、図６に示すように、その傾斜面１５ａの下部に位置する内周縁の内径が文字板１４のレンチキュラーレンズ２２の外径よりも小さく形成されている。このため、見切り部材１５は、その内周縁がレンチキュラーレンズ２２の外周部上に重なるように、カバー部材２３の外周部上に配置されている。
【００４１】
さらに、この見切り部材１５の内周縁における下部には、図６に示すように、切欠き部２６がレンチキュラーレンズ２２の外周部側に向けて食込んで設けられている。これにより、レンチキュラーレンズ２２は、見切り部材１５の内周縁の切欠き部２６に対応する外周部が見切り部材１５の切欠き部２６を通して外部から見えるように構成されている。
【００４２】
次に、この腕時計の作用について説明する。
この腕時計を組み立てる場合には、まず、文字板１４を組み立てる。この場合には、ベース部材２１の収納凹部２１ａ内にレンチキュラーレンズ２２を配置し、このベース部材２１の外周に位置する支持部２１ｂ上にカバー部材２３を配置する。
【００４３】
すなわち、ベース部材２１の収納凹部２１ａ内にレンチキュラーレンズ２２を配置する際には、ベース部材２１の位置決めピン２７ａをレンチキュラーレンズ２２の切欠き部２７ｂに挿入させてレンチキュラーレンズ２２の上方に突出させる。これにより、ベース部材２１の収納凹部２１ａ内にレンチキュラーレンズ２２が位置決めされる。
【００４４】
この状態で、ベース部材２１の支持部２１ｂ上にカバー部材２３を配置する。このときには、ベース部材２１の位置決めピン２７ａがレンチキュラーレンズ２２の上方に突出しているので、この突出した位置決めピン２７ａをカバー部材２３の位置決め孔２７ｃに挿入させる。これにより、ベース部材２１の支持部２１ｂ上にカバー部材２３が位置決めされて配置される。
【００４５】
このときには、レンチキュラーレンズ２２とカバー部材２３とが接触することがなく、レンチキュラーレンズ２２とカバー部材２３との間に隙間Ｓが設けられる。このため、ベース部材２１上にカバー部材２３を配置しても、カバー部材２３がレンチキュラーレンズ２２に接触することがないので、カバー部材２３の接触によってレンチキュラーレンズ２２にモアレという粗い縞模様が発生することはない。
【００４６】
この場合には、ベース部材２１の中心部に設けられた小円形孔１８ａと、レンチキュラーレンズ２２の中心部に設けられた小円形孔１８ｂと、カバー部材２３の中心部に設けられた小円形孔１８ｃとが、同じ大きさで、同一軸上に対応する。このため、指針軸１６ａの貫通孔１８が形成される。
【００４７】
また、この場合には、ベース部材２１の中心部とベース部材２１の６時側の外周部との間に設けられた円形孔１９ａと、レンチキュラーレンズ２２の中心部とレンチキュラーレンズ２２の６時側の外周部との間に設けられた円形孔１９ｂと、カバー部材２３の中心部とカバー部材２３の６時側の外周部との間に設けられた円形孔１９ｃとが、同じ大きさで、同一軸上に対応する。このため、副表示部１７の副表示領域１９が形成される。
【００４８】
同様に、ベース部材２１の中心部とベース部材２１の３時側の外周部との間に設けられた円形孔２０ａと、レンチキュラーレンズ２２の中心部とレンチキュラーレンズ２２の３時側の外周部との間に設けられた円形孔２０ｂと、カバー部材２３の中心部とカバー部材２３の３時側の外周部との間に設けられた円形孔２０ｃとが、同じ大きさで、同一軸上に対応する。このため、表示部１２の表示窓部２０が形成される。
【００４９】
これにより、文字板１４が組み立てられる。この文字板１４を時計モジュール７のハウジング１０上に配置する際には、予め、ハウジング１０に時計ムーブメント１１、表示部１２、および回路基板１３を組み付けて、時計モジュール７を組み立てる。このときには、主表示部１６の指針軸１６ａに指針１６ｂを取り付けず、また副表示部１７の副針軸１７ａに副針１７ｂを取り付けない。
【００５０】
この状態で、時計モジュール７のハウジング１０上に文字板１４を配置する。このときには、文字板１４の中心部に設けられた貫通孔１８に時計ムーブメント１１の主表示部１６の指針軸１６ａを挿入させる。また、このときには、文字板１４の中心部と文字板１４の６時側の外周部との間に設けられた副表示部１７の副表示領域１９の中心部に時計ムーブメント１１の副表示部１７の副針軸１７ａを挿入させ、かつ文字板１４の中心部と文字板１４の３時側の外周部との間に設けられた表示窓部２０に表示部１２を対応させる。
【００５１】
これにより、文字板１４が時計モジュール７のハウジング１０上に配置される。このときには、文字板１４がその外周に設けられた位置規制部２５によって時計モジュール７のハウジング１０上に位置規制され、主表示部１６の指針軸１６ａが文字板１４の上方に突出し、副表示部１７の副針軸１７ａが文字板１４の突出する。この状態で、主表示部１６の指針軸１６ａに指針１６ｂを取り付ける共に、副表示部１７の副針軸１７ａに副針１７ｂを取り付ける。これにより、時計モジュール７が組み立てられる。
【００５２】
そして、この時計モジュール７を腕時計ケース１内に組み込む。このときには、予め、腕時計ケース１を組み立てる。すなわち、本体ケース２内の上部に見切り部材１５を組み込んで本体ケース２の上部開口部に時計ガラス５をガラスパッキン５ａと共に組み付ける。この状態で、本体ケース２の上部に化粧部材３を配置し、この化粧部材３を外装ケース４で押え付けた状態で、外装ケース４を本体ケース２の外周部に装着させてビス４ａによって取り付ける。
【００５３】
このようにして組み立てられた腕時計ケース１内に時計モジュール７を腕時計ケース１の下側から挿入させて組み込む。このときには、時計モジュール７の文字板１４の上面の外周部を見切り部材１５の下面に押し当てる。この場合には、カバー部材２３の外周部がベース部材２１の支持部２１ｂ上に配置されているので、レンチキュラーレンズ２２がカバー部材２３によって押し付けられることがない。このため、レンチキュラーレンズ２２にモアレが発生することがない。この状態で、腕時計ケース１の下部に裏蓋６を防水リング６ａと共に取り付ける。これにより、腕時計が組み立てられる。
【００５４】
このように組み立てられた腕時計では、時計モジュール７の主表示部１６の指針軸１６ａが腕時計ケース１の中心部に位置し、副表示部１７の副表示領域１９が腕時計ケース１の中心部と腕時計ケース１の６時側の外周部との間に位置し、表示部１２の表示窓部２０が腕時計ケース１の中心部と腕時計ケース１の３時側の外周部との間に位置し、かつレンチキュラーレンズ２２の線状レンズ２２ａが腕時計ケース１の３時と９時とを結ぶ直線に対して平行に配列される。
【００５５】
このため、この腕時計を腕に使用する場合には、主表示部１６の指針１６ｂが文字板１４の上方を運針して文字板１４のカバー部材２３上の時字などの印刷部２３ａおよび見切り部材１５の時字１５ｂを指示することにより、現在の時刻を知ることができる。また、このときには、副表示部１７の副針１７ｂが副表示領域１９内で運針することにより、選択された都市の時刻を知ることができる。同様に、表示部１２に表示された日付や曜日などの情報が表示窓部２０を通して日付や曜日などの情報を見ることができる。
【００５６】
また、この腕時計では、文字板１４のレンチキュラーレンズ２２によってその下面に設けられた装飾層２４に描かれた２つ以上の絵が立体的に見える。この状態で、腕を１２時方向と６時方向とに動かすと、装飾層２４に描かれた２つ以上の絵がレンチキュラーレンズ２２の傾きに応じて動いているように見える。これにより、変化のあるデザインが得られる。
【００５７】
このように、この腕時計の文字板１４によれば、下面に装飾層２４が設けられたレンチキュラーレンズ２２と、このレンチキュラーレンズ２２の上面側を覆う透明なカバー部材２３と、この透明なカバー部材２３をレンチキュラーレンズ２２の上側に支持するベース部材２１の支持部２１ｂと、を備えていることにより、レンチキュラーレンズ２２によって変化のあるデザイン性が得られると共に、装飾性および加飾性を高めることができる。
【００５８】
すなわち、この腕時計の文字板１４では、レンチキュラーレンズ２２によって装飾層２４に描かれた絵を立体的または動いているように見せることができるので、変化のあるデザインを得ることができると共に、カバー部材２３がレンチキュラーレンズ２２に接触することによって、レンチキュラーレンズ２２にモアレという粗い縞模様が発生するのを防ぐことができるので、装飾性および加飾性を高めることができる。
【００５９】
また、この腕時計の文字板１４では、レンチキュラーレンズ２２が多数の線状レンズ２２ａを平行に配列させた構成であるから、その上面に直接印刷などを施すことが難しくても、レンチキュラーレンズ２２の上側にカバー部材２３が配置されているので、このカバー部材２３に機能を表示する印刷を簡単にかつ良好に施すことができ、これにより機能性およびデザイン性を向上させることができる。
【００６０】
この場合、この文字板１４では、レンチキュラーレンズ２２とカバー部材２３との間にベース部材２１の支持部２１ｂによって隙間Ｓが設けられていることにより、レンチキュラーレンズ２２にカバー部材２３が接触することがないので、レンチキュラーレンズ２２を通して装飾層２４に描かれた絵を見る際に、カバー部材２３がレンチキュラーレンズ２２に接触することによって、レンチキュラーレンズ２２に生じるモアレを確実に防ぐことができ、これにより装飾層２４に描かれた絵を鮮明にかつ良好に見ることができる。
【００６１】
また、この腕時計の文字板１４では、レンチキュラーレンズ２２が配置される収納凹部２１ａが設けられたベース部材２１を備え、このベース部材２１に支持部２１ｂが設けられていることにより、ベース部材２１の収納凹部２１ａ内にレンチキュラーレンズ２２を配置させた状態で、ベース部材２１の支持部２１ｂによってカバー部材２３をレンチキュラーレンズ２２の上側に良好に配置させることができる。
【００６２】
すなわち、カバー部材２３は、ベース部材２１の収納凹部２１ａの外周に位置する支持部２１ｂ上に配置され、ベース部材２１の収納凹部２１ａは、その深さがレンチキュラーレンズ２２の厚みよりも大きく形成されていることにより、レンチキュラーレンズ２２をベース部材２１の収納凹部２１ａ内に配置した際に、レンチキュラーレンズ２２の上面をベース部材２１の支持部２１ｂの上面よりも低くすることができるので、レンチキュラーレンズ２２とカバー部材２３との間に確実に隙間Ｓを設けることができる。
【００６３】
また、この文字板１４では、カバー部材２３の上面における外周部に見切り部材１５が設けられ、この見切り部材１５の内周縁における下部に切欠き部２６がカバー部材２３の外周側に向けて食込んで設けられていることにより、見切り部材１５の内周縁で文字板１４の表示領域を仕切っても、見切り部材１５の切欠き部２６を通して、見切り部材１５の切欠き部２６の下側に位置する文字板１４を見ることができるので、文字板１４の表示領域を広げることができ、これによってもデザイン性を向上させることができる。
【００６４】
また、この腕時計では、文字板１４のレンチキュラーレンズ２２が多数の線状レンズ２２ａを３時と９時とを結ぶ直線方向と平行に配列した構成であるから、腕時計ケース１を腕に取り付けて使用する際に、腕を１２時方向と６時方向とに動かすと、装飾層２４に描かれた２つ以上の絵がレンチキュラーレンズ２２の傾きに応じて動いているように見えるので、より一層、変化のあるデザイン性が得られる。
【００６５】
さらに、この文字板１４では、カバー部材２３の上面に時字などの機能を表示する機能表示部である印刷部２３ａが設けられていることにより、レンチキュラーレンズ２２によって装飾層２４に描かれた絵を立体的または動いているように見せることができるほか、印刷部２３ａによって時計に必要な機能を増設することができると共に、良好に表現することができる。
【００６６】
また、この文字板１４では、ベース部材２１とレンチキュラーレンズ２２とカバー部材とに複数の開口部である副表示領域１９および表示窓部２０が設けられていることにより、多機能化を図ることができる。すなわち、副表示領域１９は、ワールドタイムの副表示部１７の副針１７ｂが運針する領域であり、世界の各都市のいずれかの時間を指示表示することができる。また、表示窓部２０は、その下側に表示部１２が配置され、表示部１２に表示された日付や曜日などの情報が見えるようにすることができる。
【００６７】
なお、上述した第１実施形態では、ベース部材２１の外周に位置する箇所のみに支持部２１ｂを設けた場合について述べたが、この発明はこれに限らず、例えば図７に示す第１変形例のように、指針軸１６ａが挿入する文字板１４の貫通孔１８の内周部に補助支持部２１ｃを設けた構成であっても良い。
【００６８】
すなわち、この補助支持部２１ｃは、図７に示すように、ベース部材２１の中心部に設けられた小円形孔１８ａの縁部に円筒状に形成され、その上端部がレンチキュラーレンズ２２の小円形孔１８ｂを通してカバー部材２３の小円形孔１８ｃにおける縁部の下面を支持するように構成されている。この場合にも、レンチキュラーレンズ２２とカバー部材２３との間には、外周の支持部２１ｂと貫通孔１８の補助支持部２１ｃとによって隙間Ｓが設けられている。
【００６９】
このような文字板１４では、ベース部材２１の外周に位置する支持部２１ｂと、ベース部材２１の小円形孔１８ａの縁部に円筒状に形成された補助支持部２１ｃとによって、カバー部材２３をレンチキュラーレンズ２２の上側に支持することができるので、レンチキュラーレンズ２２とカバー部材２３との間に隙間Ｓを第１実施形態よりも確実にかつ良好に設けることができ、より一層、レンチキュラーレンズ２２に生じるモアレを確実に防ぐことができる。また、支持部２１ｂと補助支持部２１ｃとによって、カバー部材２３をレンチキュラーレンズ２２の上側に支持することができるので、カバー部材２３の撓みを防ぎ、カバー部材２３の厚さを薄くでき、文字板１４の全体の厚さを薄くできる。
【００７０】
なお、上述した第１変形例では、文字板１４の貫通孔１８に位置する箇所に補助支持部２１ｃを設けた場合について述べたが、この発明はこれに限らず、文字板１４の副表示部１７の副表示領域１９に対応する箇所、および文字板１４の表示窓部２０に対応する箇所にも、補助支持部２１ｃを設けた構成であっても良い。
【００７１】
また、上述した第１実施形態では、カバー部材２３をベース部材２１の外周に位置する支持部２１ｂ上に配置した場合について述べたが、この発明はこれに限らず、例えば、図８（ａ）に示す第２変形例のように、カバー部材２３をベース部材２１の収納凹部２８内に配置した構成であっても良い。
【００７２】
この場合には、図８（ａ）に示すように、カバー部材２３の外径をベース部材２１の外形よりも小さく形成し、かつレンチキュラーレンズ２２の外径よりも大きく形成する。また、ベース部材２１の収納凹部２８は、レンチキュラーレンズ２２が配置されるレンズ収納部２８ａと、レンズ収納部２８ａの内径よりも大きく形成されてカバー部材２３が配置されるカバー収納部２８ｂと、を備えている。
【００７３】
この場合、レンズ収納部２８ａとカバー収納部２８ｂとの段差部には、図８（ａ）に示すように、カバー部材２３を支持する支持部２８ｃが形成されている。また、収納凹部２８のレンズ収納部２８ａは、その深さがレンチキュラーレンズ２２の全体の厚み、つまりレンチキュラーレンズ２２と装飾層２４との両方の厚みよりも大きく形成されている。
【００７４】
これにより、レンチキュラーレンズ２２とカバー部材２３とは、図８（ａ）に示すように、ベース部材２１の収納凹部２８内に配置された際に、レンズ収納部２８ａとカバー収納部２８ｂとの段差部に設けられた支持部２８ｃによって、レンチキュラーレンズ２２とカバー部材２３との間に隙間Ｓが設けられている。
【００７５】
この場合にも、図８（ａ）に示すように、指針軸１６ａが挿入する文字板１４の貫通孔１８の内周部には、補助支持部２８ｄが設けられている。この補助支持部２８ｄは、ベース部材２１の中心部に設けられた小円形孔１８ａの縁部に円筒状に形成され、その上端部がレンチキュラーレンズ２２の小円形孔１８ｂを通してカバー部材２３の小円形孔１８ｃにおける縁部の下面を支持するように構成されている。
【００７６】
これにより、レンチキュラーレンズ２２とカバー部材２３とは、図８（ａ）に示すように、ベース部材２１の収納凹部２８内に配置された際に、レンチキュラーレンズ２２とカバー部材２３との間に、貫通孔１８の内周部に設けられた補助支持部２８ｄによっても隙間Ｓが設けられている。
【００７７】
このような文字板１４では、ベース部材２１の収納凹部２８が、レンチキュラーレンズ２２を配置するレンズ収納部２８ａと、このレンズ収納部２８ａの内径よりも大きく形成されてカバー部材２３を配置するカバー収納部２８ｂと、を備え、レンズ収納部２８ａとカバー収納部２８ｂとの段差部が支持部２８ｃを形成し、レンズ収納部２８ａの深さがレンチキュラーレンズ２２の厚みよりも大きく形成されていることにより、レンチキュラーレンズ２２とカバー部材２３との間に確実に隙間Ｓを設けることができる。
【００７８】
すなわち、この文字板１４では、ベース部材２１の収納凹部２８に設けられたレンズ収納部２８ａの深さがレンチキュラーレンズ２２の厚みよりも大きく形成されているため、レンチキュラーレンズ２２とカバー部材２３とをベース部材２１の収納凹部２８内に配置した際に、レンズ収納部２８ａとカバー収納部２８ｂとの段差部に設けられた支持部２８ｃによって、レンチキュラーレンズ２２とカバー部材２３との間に隙間Ｓを設けることができる。
【００７９】
また、この文字板１４では、ベース部材２１の収納凹部２８内に設けられた段差部の支持部２８ｃと、ベース部材２１の小円形孔１８ａの縁部に円筒状に形成された補助支持部２８ｄとによって、カバー部材２３をレンチキュラーレンズ２２の上側に支持することができるので、レンチキュラーレンズ２２とカバー部材２３との間に隙間Ｓを確実に設けることができる。
【００８０】
このため、この文字板１４では、レンチキュラーレンズ２２とカバー部材２３との間に設けられた隙間Ｓによって、カバー部材２３がレンチキュラーレンズ２２に接触するのを確実にかつ良好に防ぐことができるので、レンチキュラーレンズ２２にモアレという粗い縞模様が発生するのを確実に防ぐことができる。また、支持部２８ｃと補助支持部２８ｄとによって、カバー部材２３をレンチキュラーレンズ２２の上側に支持することができるので、カバー部材２３の撓みを防ぎ、カバー部材２３の厚さを薄くでき、文字板１４の全体の厚さを薄くできる。
【００８１】
これにより、この文字板１４においても、第１実施形態と同様、レンチキュラーレンズ２２によって装飾層２４に描かれた絵を立体的または動いているように見せることができるので、変化のあるデザインを得ることができると共に、レンチキュラーレンズ２２にモアレという粗い縞模様が発生するのを防ぐことができるので、装飾性および加飾性を高めることができる。
【００８２】
なお、上述した第２変形例では、文字板１４の貫通孔１８に位置する箇所に補助支持部２８ｄを設けた場合について述べたが、この発明はこれに限らず、文字板１４の副表示部１７の副表示領域１９に対応する箇所、および文字板１４の表示窓部２０に対応する箇所にも、補助支持部２８ｄを設けた構成であっても良い。
【００８３】
また、上述した第１実施形態および第１、第２の変形例では、レンチキュラーレンズ２２が配置されるベース部材２１に、カバー部材２３を支持する支持部２１ｂ、２８ｃおよび補助支持部２１ｃ、２８ｄを設けた場合について述べたが、この発明はこれに限らず、例えば図８（ｂ）に示す第３変形例のように、レンチキュラーレンズ２２に支持部２２ｂおよび補助支持部２２ｃを設けた構成であっても良い。
【００８４】
すなわち、支持部２２ｂは、図８（ｂ）に示すように、レンチキュラーレンズ２２の外周部にその外周に沿って上方に突出して設けられ、その上端部にカバー部材２３の外周部が配置されるように構成されている。これにより、レンチキュラーレンズ２２の上面とカバー部材２３の下面との間には、支持部２２ｂによって隙間Ｓが設けられている。
【００８５】
また、補助支持部２２ｃは、図８（ｂ）に示すように、文字板１４の中心部に設けられた貫通孔１８の内周部に位置した状態で、レンチキュラーレンズ２２の小円形孔１８ｂの縁部に円筒状に設けられ、その上端部がカバー部材２３の小円形孔１８ｃにおける縁部の下面を支持するように構成されている。この場合にも、レンチキュラーレンズ２２の上面とカバー部材２３の下面との間には、支持部２２ｂと補助支持部２２ｃとによって隙間Ｓが設けられている。
【００８６】
これにより、この文字板１４では、レンチキュラーレンズ２２の外周部に設けられた支持部２２ｂと、文字板１４の貫通孔１８に対するレンチキュラーレンズ２２の小円形孔１８ｂの縁部に設けられた補助支持部２２ｃとによって、カバー部材２３をレンチキュラーレンズ２２の上側に支持することができるので、レンチキュラーレンズ２２とカバー部材２３との間に隙間Ｓを確実に設けることができる。
【００８７】
このため、この文字板１４では、レンチキュラーレンズ２２とカバー部材２３との間に設けられた隙間Ｓによって、カバー部材２３がレンチキュラーレンズ２２に接触するのを確実にかつ良好に防ぐことができるので、レンチキュラーレンズ２２にモアレという粗い縞模様が発生するのを確実に防ぐことができる。また、支持部２２ｂと補助支持部２２ｃとによって、カバー部材２３をレンチキュラーレンズ２２の上側に支持することができるので、カバー部材２３の撓みを防ぎ、カバー部材２３の厚さを薄くでき、文字板１４の全体の厚さを薄くできる。
【００８８】
これにより、この文字板１４においても、第１実施形態と同様、レンチキュラーレンズ２２によって装飾層２４に描かれた絵を立体的または動いているように見せることができるので、変化のあるデザインを得ることができると共に、レンチキュラーレンズ２２にモアレという粗い縞模様が発生するのを防ぐことができるので、装飾性および加飾性を高めることができる。
【００８９】
この場合にも、上述した第３変形例では、文字板１４の貫通孔１８に位置する箇所に補助支持部２２ｃを設けた場合について述べたが、この発明はこれに限らず、文字板１４の副表示部１７の副表示領域１９に対応する箇所、および文字板１４の表示窓部２０に対応する箇所にも、補助支持部２２ｃを設けた構成であっても良い。
【００９０】
（第２実施形態）
次に、図９を参照して、この発明を腕時計に適用した第２実施形態について説明する。なお、図１〜図６に示された第１実施形態と同一部分には同一符号を付して説明する。
この腕時計の文字板３０は、図９に示すように、レンチキュラーレンズ３１上に見切り部材３２を配置した構成であり、これ以外は第１実施形態とほぼ同じ構成になっている。
【００９１】
すなわち、このレンチキュラーレンズ３１は、図９に示すように、第１実施形態と同様、上面が円弧に形成された多数の線状レンズ３１ａを平行に配列させた透明なフィルムであり、その外形がほぼ円形状に形成されている。すなわち、このレンチキュラーレンズ３１は、その線状レンズ３１ａが腕時計ケース１（図１参照）の３時と９時とを結ぶ直線に対して平行に配列されるように構成されている。
【００９２】
また、このレンチキュラーレンズ３１は、図９に示すように、その下面に装飾層２４が設けられている。この装飾層２４は、第１実施形態と同様、線状に細断された２つ以上の絵を組み合わせるように描かれた背景画が印刷などによってレンチキュラーレンズ３１の下面に設けられている。これにより、装飾層２４は、その背景画がレンチキュラーレンズ３１を通して上方から立体的に見えるように構成されている。
【００９３】
すなわち、このレンチキュラーレンズ３１は、図９に示すように、１２時方向と６時方向とに傾けることにより、装飾層２４に描かれた背景画がレンチキュラーレンズ３１の傾き、つまりレンチキュラーレンズ３１を見る角度に応じて動いているように見える構成になっている。このレンチキュラーレンズ３１は、第１実施形態と同様、時計モジュール７のハウジング１０上に配置されるように構成されている。
【００９４】
また、このレンチキュラーレンズ３１の上面には、図９に示すように、見切り部材３２が配置されている。この見切り部材３２は、第１実施形態と同様、リング状に形成され、レンチキュラーレンズ３１の上面における外周部上に配置されるように構成されている。この場合、見切り部材３２は、その上面が文字板３０の中心部側に向けて傾斜する傾斜面３２ａに形成されている。
【００９５】
また、この見切り部材３２は、図９に示すように、その傾斜面３２ａの下部に位置する内周縁の内径がレンチキュラーレンズ３１の外径よりも小さく形成されている。このため、見切り部材３２は、その内周縁がレンチキュラーレンズ２２の外周部上に重なるように形成されている。
【００９６】
この場合、この見切り部材３２の内周縁における下部には、図９に示すように、切欠き部３３がレンチキュラーレンズ３１の外周部側に向けて食込んで設けられている。これにより、レンチキュラーレンズ３１は、その上面に見切り部材３２が配置された際に、見切り部材３２の内周縁が切欠き部３３によってレンチキュラーレンズ３１の上面に接触しないため、見切り部材３２の切欠き部３３に対応する箇所のレンチキュラーレンズ３１にモアレが発生しないように構成されている。
【００９７】
このような腕時計の文字板３０によれば、下面に装飾層２４が設けられたレンチキュラーレンズ３１と、このレンチキュラーレンズ３１の上面における外周部に設けられ、かつ内周縁における下部に切欠き部３３がレンチキュラーレンズ３１の外周部側に向けて食込んで設けられた見切り部材３２と、を備えていることにより、レンチキュラーレンズ３１によって変化のあるデザイン性が得られると共に、見切り部材３２の切欠き部３３に対する箇所のレンチキュラーレンズ３１にモアレの発生を防ぐことができるので、装飾性および加飾性を高めることができる。
【００９８】
すなわち、この腕時計の文字板３０では、第１実施形態と同様、レンチキュラーレンズ３１によって装飾層２４に描かれた絵を立体的または動いているように見せることができるので、変化のあるデザイン性を得ることができると共に、レンチキュラーレンズ３１の上面に見切り部材３２を配置しても、見切り部材３２の内周縁における下部に設けられた切欠き部３３がレンチキュラーレンズ３１に接触することがないので、この切欠き部３３に対する箇所のレンチキュラーレンズ３１にモアレの発生を防ぐことができ、これによっても装飾性および加飾性を向上させることができる。
【００９９】
この場合にも、この腕時計では、文字板３０のレンチキュラーレンズ３１が多数の線状レンズ３１ａを３時と９時とを結ぶ直線方向と平行に配列した構成であるから、第１実施形態と同様、腕時計を腕に取り付けて使用する際に、腕を１２時方向と６時方向とに動かすと、装飾層２４に描かれた２つ以上の絵がレンチキュラーレンズ３１によって動いているように見えるので、変化のあるデザイン性が得られる。
【０１００】
なお、上述した第１、第２の実施形態および第１〜第３の変形例では、腕時計に適用した場合について述べたが、必ずしも腕時計である必要はなく、例えばトラベルウオッチ、目覚まし時計、置き時計、掛け時計などの各種の時計に適用することができる。
【０１０１】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【０１０２】
（付記）
請求項１に記載の発明は、下面に装飾層が設けられたレンチキュラーレンズと、前記レンチキュラーレンズの上面側を覆う透明なカバー部材と、前記透明なカバー部材を前記レンチキュラーレンズの上側に支持する支持部と、を備えていることを特徴とする文字板である。
【０１０３】
請求項２に記載の発明は、請求項１に記載の文字板において、前記レンチキュラーレンズと前記カバー部材との間には、前記支持部によって隙間が設けられていることを特徴とする文字板である。
【０１０４】
請求項３に記載の発明は、請求項１または請求項２に記載の文字板において、前記レンチキュラーレンズが配置される収納凹部が設けられたベース部材を備え、前記支持部は前記ベース部材に設けられていることを特徴とする文字板である。
【０１０５】
請求項４に記載の発明は、請求項３に記載の文字板において、前記支持部は、前記ベース部材の前記収納凹部の外周部に設けられて前記カバー部材の外周部を支持し、前記ベース部材の前記収納凹部は、その深さが前記レンチキュラーレンズの厚みよりも大きく形成されていることを特徴とする文字板である。
【０１０６】
請求項５に記載の発明は、請求項３に記載の文字板において、前記ベース部材の前記収納凹部は、前記レンチキュラーレンズが配置されるレンズ収納部と、前記レンズ収納部の内径よりも大きく形成されて前記カバー部材が配置されるカバー収納部と、を備え、前記支持部は、前記レンズ収納部と前記カバー収納部との段差部に設けられて前記カバー部材の外周部を支持し、前記レンズ収納部は、その深さが前記レンチキュラーレンズの厚みよりも大きく形成されていることを特徴とする文字板である。
【０１０７】
請求項６に記載の発明は、請求項４または請求項５に記載の文字板において、前記ベース部材、前記レンチキュラーレンズ、および前記カバー部材それぞれには、互いに対応する開口部が設けられ、前記支持部は、前記ベース部材の前記開口部における縁部に設けられ、前記レンチキュラーレンズの前記開口部を通して前記カバー部材の開口部における縁部の下面を支持する補助支持部を備えていることを特徴とする文字板である。
【０１０８】
請求項７に記載の発明は、請求項１または請求項２に記載の文字板において、前記支持部は、前記レンチキュラーレンズにその上側に突出して設けられていることを特徴とする文字板である。
【０１０９】
請求項８に記載の発明は、請求項１〜請求項７のいずれかに記載の文字板において、前記カバー部材の上面における外周部には見切り部材が配置され、前記見切り部材の内周縁における下部には切欠き部が前記カバー部材の外周側に向けて食込んで設けられていることを特徴とする文字板である。
【０１１０】
請求項９に記載の発明は、請求項１〜請求項８のいずれかに記載の文字板において、前記レンチキュラーレンズは、多数の線状レンズが３時と９時とを結ぶ直線方向と平行に配列されていることを特徴とする文字板である。
【０１１１】
請求項１０に記載の発明は、請求項１〜請求項９のいずれかに記載の文字板において、前記カバー部材の上面には印刷部が設けられていることを特徴とする文字板である。
【０１１２】
請求項１１に記載の発明は、下面に装飾層が設けられたレンチキュラーレンズと、前記レンチキュラーレンズの上面における外周部に配置され、かつ内周縁における下部に切欠き部が前記レンチキュラーレンズの外周側に向けて食込んで設けられた見切り部材と、を備えていることを特徴とする文字板である。
【０１１３】
請求項１２に記載の発明は、請求項１〜請求項１１のいずれかに記載された文字板を備えていることを特徴とする時計である。
【符号の説明】
【０１１４】
１  腕時計ケース
７  時計モジュール
１０  ハウジング
１１  時計ムーブメント
１２  表示部
１４  ３０  文字板
１５、３２  見切り部材
１８  貫通孔
１８ａ〜１８ｃ  小円形孔
１９  副表示領域
１９ａ〜１９ｃ  円形孔
２０  表示窓部
２０ａ〜２０ｃ  円形孔
２１  ベース部材
２１ａ、２８  収納凹部
２１ｂ、２２ｂ、２８ｃ  支持部
２１ｃ、２２ｃ、２８ｄ  補助支持部
２２、３１  レンチキュラーレンズ
２２ａ、３１ａ  線状レンズ
２３  カバー部材
２３ａ  印刷部
２４  装飾層
２６、３３  切欠き部
２７  位置決め部
２８ａ  レンズ収納部
２８ｂ  カバー収納部
Ｓ  隙間
【図１】
2018146504.tif 000003
【図２】
2018146504.tif 000004
【図３】
2018146504.tif 000005
【図４】
2018146504.tif 000006
【図５】
2018146504.tif 000007
【図６】
2018146504.tif 000008
【図７】
2018146504.tif 000009
【図８】
2018146504.tif 000010
【図９】
2018146504.tif 000011